(57)【要約】      （修正有）【課題】施錠操作をすることなく扉の閉塞操作に連動してロック体の拘束状態に移行させることによりロック忘れを防止する扉用錠装置の提供を目的とする。【解決手段】扉２の一方に固定される錠本体３と、他方に固定され錠本体３に連結される被連結体４とを有し、錠本体３はロック位置において被連結体４に形成された被係止部５を係止可能で、ロック解除位置において係止解除するロック体６と、付勢力により扉非検知位置に保持されるとともに、閉扉状態において被連結体４、または被連結体固定側部材に干渉して扉検知位置まで移動する扉検知体７と、扉検知体７の扉検知位置への移動途上においてロック体６を係止してロック位置まで駆動し、扉検知位置においてロック体６との係止が解除されるロック操作部８と、ロック体６がロック位置に移動した際にロック体６に係止して該ロック体６のロック解除位置側への移動を規制するストッパ体９と、を有する。【選択図】  図７
2007182693.tif 000002
【特許請求の範囲】
【請求項１】
装置筐体、または装置筐体の開口を閉塞する扉の一方に固定される錠本体と、他方に固定され、閉扉状態で前記錠本体に連結される被連結体とを有し、
前記錠本体は、
ロック位置において前記被連結体に形成された被係止部を係止可能で、ロック解除位置において係止解除するロック体と、
付勢力により扉非検知位置に保持されるとともに、閉扉状態において被連結体、または被連結体固定側部材に干渉して扉検知位置まで移動する扉検知体と、
扉検知体の扉検知位置への移動途上においてロック体を係止してロック位置まで駆動し、扉検知位置においてロック体との係止が解除されるロック操作部と、
ロック体がロック位置に移動した際にロック体に係止して該ロック体のロック解除位置側への移動を規制するストッパ体と、
解錠操作により前記ストッパ体をロック体との係止解除位置に駆動可能なシリンダ錠と、
を有する扉用錠装置。
【請求項２】
前記ロック体がロック解除位置側に付勢される請求項１記載の扉用錠装置。
【請求項３】
前記ロック体は、閉扉動作時に被係止部が嵌合する嵌合凹部内を進退する杆体である請求項１または２記載の扉用錠装置。
【請求項４】
前記ロック操作部は、
ロック体への係止状態においてロック体をロック位置まで駆動可能なロック回転位置とロック体のロック解除位置に対応するロック解除回転位置との間で回転自在で、ロック解除回転位置側に付勢されるレバーと、
扉検知位置まで並進移動する扉検知体に、干渉回転姿勢と干渉解除回転姿勢との間で回転自在で、かつ、干渉回転姿勢側に付勢されて連結されるドライブカムとを有し、
前記レバーは、干渉回転姿勢で扉検知位置側に移動するドライブカムに干渉してロック回転位置に駆動される請求項１、２または３記載の扉用錠装置。
【請求項５】
前記被連結体には、閉扉状態において錠本体の扉検知体に当接して扉検知位置まで移動させる押圧カバー部が形成される請求項１、２、３または４記載の扉用錠装置。
【発明の詳細な説明】
【技術分野】
【０００１】
本発明は、扉用錠装置に関するものである。
【背景技術】
【０００２】
自動販売機等の扉を施錠するために使用される扉用錠装置としては、特許文献１に記載されたものが知られている。この従来例において錠装置は、自動販売機の装置筐体に固定されて使用され、扉側に固定される第２の錠前本体に形成されるリング部（係止部）を係止して扉を拘束する閂部材（ロック体）と、ロック体付勢手段により係止解除位置側に付勢されるロック体に係止してロック体を係止部との係止位置に保持するロックプレートと、プレート付勢手段によりロック体との係止位置側に付勢されるロックプレートを解錠状態において係止解除位置に拘束するシリンダ錠とを有する。
【０００３】
施錠状態からシリンダ錠を解錠操作すると、ロックプレートによるロック体の係止が解除される結果、ロック体はロック体付勢手段により係止部との係止解除位置側に移動し、以後、扉の開放操作が可能になる。この解錠状態からロック体をロック体付勢手段に抗して係止部との係止位置に押し込むと、ロックプレートはプレート付勢手段によりロック体に係止し、以後、扉の開放操作が規制される。
【特許文献１】特許第３１０８６３３号公報
【発明の開示】
【発明が解決しようとする課題】
【０００４】
しかし、上述した従来例において、装置筐体の扉を開放して作業した後、再び施錠状態に復帰させるためには、ロック体への押し込み操作が必要となるために、ロック忘れが発生するおそれがあるという欠点がある。
【０００５】
本発明は、以上の欠点を解消すべくなされたものであって、特別の施錠操作を要することなく扉の閉塞操作に連動してロック体の拘束状態に移行させることによりロック忘れを防止し、かつ、操作性も向上させた扉用錠装置の提供を目的とする。
【課題を解決するための手段】
【０００６】
本発明によれば上記目的は、
装置筐体１、または装置筐体１の開口を閉塞する扉２の一方に固定される錠本体３と、他方に固定され、閉扉状態で前記錠本体３に連結される被連結体４とを有し、
前記錠本体３は、
ロック位置において前記被連結体４に形成された被係止部５を係止可能で、ロック解除位置において係止解除するロック体６と、
付勢力により扉非検知位置に保持されるとともに、閉扉状態において被連結体４、または被連結体固定側部材に干渉して扉検知位置まで移動する扉検知体７と、
扉検知体７の扉検知位置への移動途上においてロック体６を係止してロック位置まで駆動し、扉検知位置においてロック体６との係止が解除されるロック操作部８と、
ロック体６がロック位置に移動した際にロック体６に係止して該ロック体６のロック解除位置側への移動を規制するストッパ体９と、
解錠操作により前記ストッパ体９をロック体６との係止解除位置に駆動可能なシリンダ錠１０と、
を有する扉用錠装置を提供することにより達成される。
【０００７】
扉用錠装置は、装置筐体１、または扉２の一方、例えば装置筐体１側に固定される錠本体３と、他方（本例では扉２側）に固定される被連結体４とを有する。被連結体４には被係止部５が形成され、閉扉状態で錠本体３側のロック体６を被係止部５に係止させることにより開扉操作を規制することができる。
【０００８】
扉検知体７は、扉２が閉じられ、被連結体４、または被連結体４固定側部材、すなわち、被連結体４が固定される側の部材（本例では扉２）に干渉する扉検知位置と、初期位置である扉非検知位置との間で移動自在であり、適宜の付勢手段により扉非検知位置側に付勢される。
【０００９】
ロック操作部８は、扉検知体７の扉検知位置への移動に伴って作動してロック体６をロック解除位置からロック位置まで駆動する。ロック体６への駆動力は、扉検知体７の扉検知位置への作動力から得ることができ、例えば、扉検知体７が並進移動して扉検知位置へ移動する場合には、扉検知体７に適宜の斜面を干渉させることにより、扉検知体７の移動方向に直交する方向の駆動力を得、この駆動力により直接ロック体６を並進移動させ、あるいはこの駆動力によりロック体６を回転駆動させることができる。
【００１０】
上記ロック操作部８によるロック体６のロック位置への駆動は、扉検知体７が扉非検知位置から扉検知位置まで達する途上において実行され、この後、ロック操作部８はロック体６との係止を解除してロック体６のロック解除位置への移動を許容する。
【００１１】
ロック体６がロック操作部８によりロック位置に駆動されると、ストッパ体９がロック体６に係止してロック体６のロック解除位置側への移動を規制する。ストッパ体９はシリンダ錠１０に対する解錠操作によってのみロック体６との係止解除位置に駆動させることが可能であり、上述したように、ロック位置において上記ロック操作部８による規制が解除されているロック体６は、シリンダ錠１０を解錠操作してストッパ体９による係止を解除することによりロック解除位置に移動することが可能であり、以後、扉２を開放することができる。
【００１２】
したがってこの発明において、扉２を閉じると自動的にロック体６が被連結体４を拘束し、かつ、この状態でシリンダ錠１０の解錠操作を行うことなくロック体６による拘束解除が不能であるために、施錠忘れ等が確実に防止することができる。また、ロック体６が一旦ロック位置に達すると、以後ストッパ体９によりロック位置に保持され、扉検知体７を操作してもロック体６による被連結体４の拘束解除操作は禁止される。この結果、ロック状態で扉検知体７を破壊等することによる不正解錠操作を確実に防止できる。
【００１３】
ロック体６のロック解除位置への移動は、例えば外部から直接操作することにより行うことができるが、ロック体６をロック解除位置側に付勢しておくと、シリンダ錠１０への解錠操作により自動的にロック体６がロック解除位置に移動するために、使い勝手が向上する。
【発明の効果】
【００１４】
本発明によれば、特別の施錠操作を要することなく扉の閉塞操作に連動してロック体の拘束状態に移行させることができるために、ロック忘れを防止し、かつ、操作性も向上させることができる。
【発明を実施するための最良の形態】
【００１５】
図１に自動販売機の補助錠として構成された本発明の実施の形態を示す。この実施の形態において、自動販売機は装置筐体１の開口をヒンジ１ａ周りに回転可能な扉２により閉塞して形成される。扉２には主錠としてのハンドル錠１５が固定される。
【００１６】
扉用錠装置は、装置筐体１の側壁に固定される錠本体３と、扉２の開放端面に固定される被連結体４とからなる。図２に示すように、被連結体４は、扉２に固定されるボルト４ａを使用して固定される主体部４ｂから背面側に連結突片４ｃを延設して形成される。
【００１７】
連結突片４ｃの裏面には、上下方向に貫通する貫通孔５ａを備えた被係止部５が膨隆される。また、被連結体４の主体部４ｂには、扉２を閉じた状態で後述する扉検知体７に当接する押圧カバー部１４が形成される。
【００１８】
上記被連結体４は、ステンレス鋼等の耐工具切削性の良好な材料により形成され、図１、２に示すように、閉扉状態において錠本体３のハウジング３ａ表面に形成される凹部３ｂに嵌合し、錠本体３のロック体６、および扉検知体７を覆って外部への露出を防止する。
【００１９】
図２、３に示すように、錠本体３は、ハウジング３ａに形成された収容凹部３ｃ内に収容されるロック体６、扉検知体７、ロック操作部８、ストッパ体９、およびシリンダ錠１０を有する。ハウジング３ａは、ステンレス鋼等の耐工具切削性の良好な材料により形成され、収容凹部３ｃはカバープレート１６により閉塞される。
【００２０】
また、ハウジング３ａの上端部（以下、本明細書においては、図１に示す装置筐体１への取付姿勢を基準に上下を定義し、さらに扉２側を「前方」、装置奥行き方向を「後方」とする。）には、閉扉動作時に上記被連結体４の被係止部５が進入可能なように水平方向に開放される嵌合凹部１１が形成される。
【００２１】
図３、４に示すように、扉検知体７は杆体により形成され、ハウジング３ａ下端部に前後方向に移動自在に装着される。この扉検知体７は、圧縮スプリング７ａにより前方、すなわち前端部がハウジング３ａから突出する扉非検知位置方向に付勢される。扉検知体７は、後述するドライブカム１３の枢軸１３ａの両端をハウジング３ａ、およびカバープレート１６に開設されたガイド孔１７に摺動自在に嵌合させて並進方向にガイドされる。
【００２２】
ロック体６は、上下方向に長寸の杆体であり、ハウジング３ａに対して上下方向に移動自在に保持される。このロック体６の下端にはロックプレート１８が固定されており、ロック操作部８により図３に示すロック解除位置と、図８（ａ）に示すロック位置との間を駆動される。このロック体６は、ロックプレート１８とハウジング３ａとの間に介装される圧縮スプリング６ａにより、下端ストローク終端、すなわち、ロック解除位置側に付勢される。また、ロック位置においてロック体６が片持状態になることを防止して強度向上を図るために、ハウジング３ａには、ロック位置においてロック体６の上端部が嵌合する保持孔１９が開設される。
【００２３】
図３に示すように、上記ロック体６を駆動するロック操作部８は、扉検知体７に連結されるドライブカム１３と、上記ロックプレート１８の下方に配置されるレバー１２とを有する。
【００２４】
図４に示すように、ドライブカム１３は板材を折り曲げて形成され、後端部上部には係止フック１３ｂが曲成される。このドライブカム１３は、扉検知体７の中間部に形成された太径部７ｂに枢軸１３ａを使用して回転自在に連結される。ドライブカム１３は、図４（ａ）に示すように、前下がり、すなわち、係止フック１３ｂが上方に跳ね上がる干渉回転姿勢と、図４（ｄ）に示すように、係止フック１３ｂが干渉回転姿勢に対して斜め下方に移動した干渉解除回転姿勢との間で回転自在であり、枢軸１３ａ周りに巻装されるトーションスプリング１３ｃにより干渉回転姿勢側に付勢される。
【００２５】
図３、５に示すように、レバー１２は前端部が枢軸１２ａにより垂直回転自在に軸支される。このレバー１２の後端部にはガイドピン１２ｂが固定され、このガイドピン１２ｂの一端をカバープレート１６に開設された曲率ガイド孔１６ａに摺動自在に挿入することにより回転経路が規制される。レバー１２は、図３（ａ）に示すように、ほぼ水平なロック解除回転位置から、図８（ａ）に示すように、後端が上方に回転したロック回転位置まで回転自在であり、枢軸１２ａ周りに巻装されるトーションスプリング１２ｃによりロック解除回転位置側に付勢される。
【００２６】
また、レバー１２の前端部下縁には、下方に向けて干渉突部１２ｄが突設される。干渉突部１２ｄは、図３（ａ）に示すように、ドライブカム１３が干渉回転姿勢にあるときの係止フック１３ｂの移動経路に干渉する位置に設定される。
【００２７】
図２、３に示すように、シリンダ錠１０は、シリンダケース１０ａ内にプラグ１０ｂを回転可能に挿入して形成される。このシリンダ錠１０は、自動販売機が屋外に設置された場合であっても、内部に雨水、塵埃等が侵入しにくいように、キー挿入口が形成される頭部を下方に向けた鉛直姿勢で固定され、プラグ１０ｂの終端にはシリンダカム２０が連結される。
【００２８】
シリンダカム２０は、図６に示すように、上面にカム突部２０ａを有する円柱体であり、中心部に開設される連結孔２１にプラグ１０ｂの終端の連結軸１０ｃが挿入される。図６（ａ）に示すように、プラグ１０ｂの連結軸１０ｃは、円柱体の対向側壁に平行な一対の平面部１０ｄ、１０ｄを形成した小判断面形状を有し、連結孔２１の平面部２１ａにプラグ側の平面部１０ｄを対応させて双方が回転方向に連結される。また、プラグ１０ｂとシリンダカム２０との間には、適宜の遊び角（θ）が設定される。
【００２９】
図６（ａ）、（ｂ）、（ｃ）はプラグ１０ｂの施解錠回転位置とシリンダカム２０との関係を示し、図６（ａ）はシリンダ錠１０の施錠状態、（ｂ）は解錠状態、（ｃ）は施錠状態において遊び角相当分だけシリンダカム２０が空転した状態を各々示す。
【００３０】
上記シリンダ錠１０、およびシリンダカム２０は、図６（ｅ）に示すように、ロック体６、およびロックプレート１８の側方に配置され、シリンダカム２０の上面にはストッパ体９が積層される。ストッパ体９は板形状に形成され、矩形状のカム開口９ａにシリンダカム２０のカム突部２０ａを挿通させて装着される。
【００３１】
また、図６（ｄ）に示すように、ストッパ体９のロック体６側端部は上方に折り曲げられてストッパ片９ｂとされる。ストッパ片９ｂは、図６（ｄ）において実線で示すように、ロック体６がロック解除位置にあるときのロックプレート１８の折り曲げ片１８ａに干渉し、図６（ｄ）において鎖線で示すように、ロック体６がロック位置まで上昇した際には、干渉が解除される折り曲げ高さを有する。
【００３２】
さらに、ストッパ片９ｂにはシリンダカム２０方向に突出するばね受け杆２２が水平姿勢で固定され、このばね受け杆２２周りに圧縮スプリング９ｃが装着される。圧縮スプリング９ｃは、一端がストッパ片９ｂ、他端がハウジング３ａに当接し、ストッパ体９をロック体６側に付勢する。
【００３３】
図６（ｅ）、（ｆ）、（ｇ）は、図６（ａ）、（ｂ）、（ｃ）のシリンダカム２０位置に対応するストッパ体９の位置を示す。図６（ｄ）、（ｅ）に示すように、シリンダ錠１０が施錠状態で、かつ、ロックプレート１８がロック解除位置にあるときには、ストッパ片９ｂはロックプレート１８の折り曲げ片１８ａに圧接しており、この状態から図６（ｄ）において鎖線で示すように、ロックプレート１８がロック位置まで上昇した場合には、ロックプレート１８との干渉が解除されたストッパ体９は、図６（ｆ）に示すように、シリンダカム２０の遊び角θを利用して圧縮スプリング９ｃの復元力により前方に移動し、ロックプレート１８の下方に位置する。さらに、図６（ｅ）、（ｆ）の状態からシリンダ錠１０を解錠操作すると、図６（ｇ）に示すように、ストッパ体９は、ロックプレート１８との干渉位置から退避する。
【００３４】
以上のように構成される錠装置の動作を図７以下を使用して説明する。まず、扉２開放状態から扉２を閉めると、図７（ａ）に示すように、被連結体４の被係止部５が錠本体３の嵌合凹部１１内に進入し、やがて被連結体４の押圧カバー部１４が扉検知体７に当接する。さらに、扉２を閉じると、図７（ｂ）に示すように、扉検知体７のドライブカム１３がレバー１２の干渉突部１２ｄに当接した後、レバー１２の干渉突部１２ｄを後方、すなわち扉検知位置側に押し込む。レバー１２の干渉突部１２ｄへの押し込み力の付与により、レバー１２は図７（ｃ）に示すように、枢軸１２ａ周りに回転し、レバー１２後端部によりロックプレート１８を上方に押し上げる。ロックプレート１８の上昇により、ロック体６は嵌合凹部１１内に進入して被係止部５の貫通孔５ａ内に挿入する。
【００３５】
図８（ａ）に示すように、レバー１２は扉検知体７が押し込みストローク終端に設定された扉検知位置まで移動する前にロック回転位置まで回転し、ロック体６をロック位置まで上昇させる。ロックプレート１８の上昇により、ストッパ体９はロックプレート１８との干渉が解除されて図６（ｆ）に示すように、前進してロックプレート１８の下方に移動し、以後、ロックプレート１８のロック解除位置側への移動を規制する。
【００３６】
この後、さらに扉２を閉じ、扉検知体７を後方に押し込むと、レバー１２は、ドライブカム１３の係止フック１３ｂとの係止可能位置を超えてさらに回転し、係止フック１３ｂと干渉突部１２ｄとの係止が解除される。係止フック１３ｂとの係止が解除されると、レバー１２は、図８（ｂ）に示すように、トーションスプリング１２ｃの復元力により初期位置、すなわち、ロック解除回転位置に復帰する。
【００３７】
この状態から扉２を開放するには、まず、シリンダ錠１０を操作して解錠状態に移行させる。シリンダ錠１０が解錠状態に移行すると、図６（ｇ）に示すように、ストッパ体９がロックプレート１８の移動経路から退避する。この結果、図８（ｃ）に示すように、圧縮スプリング６ａによりロック解除位置方向に付勢されているロック体６は支えを失ってロック解除位置に降下し、被連結体４の拘束が解除され、以後、扉２の開放操作が可能になる。
【００３８】
この状態から扉２を開放すると、図９（ａ）に示すように、被連結体４の脱離に伴って押圧カバー部１４による拘束が解除された扉検知体７は圧縮スプリング７ａの復元力により前方に移動し、扉検知位置に達する。扉検知体７の前方への移動に伴って、ドライブカム１３は、レバー１２の干渉突部１２ｄに上面を押さえ付けられて、図９（ｂ）に示すように、反時計回りに回転しながら干渉突部１２ｄを超え、図３（ａ）に示す初期状態に復帰する。
【図面の簡単な説明】
【００３９】
【図１】本発明が装着された自動販売機を示す斜視説明図である。
【図２】本発明を示す図で、（ａ）は閉扉操作途中における図１の２Ａ方向矢視図、（ｂ）は錠本体の図２（ａ）における２Ｂ方向矢視図、（ｃ）は錠本体の図２（ａ）における２Ｃ方向矢視図である。
【図３】錠本体を示す図で、（ａ）はカバープレートを一部破断した状態を示す図、（ｂ）はカバープレートを示す図である。
【図４】扉検知体を示す図で、（ａ）は側面図、（ｂ）は平面図、（ｃ）は（ｂ）の４Ｃ-４Ｃ線断面図、（ｄ）はドライブカムの動作を示す説明図である。
【図５】錠本体の要部を示す図で、（ａ）は図３（ａ）の４Ａ-４Ａ線断面図、（ｂ）は図３（ａ）の４Ｂ-４Ｂ線断面図である。
【図６】シリンダ錠の動作を示す図で、（ａ）は施錠状態におけるシリンダカムの回転位置を示す説明図、（ｂ）は解錠状態におけるシリンダカムの回転位置を示す説明図、（ｃ）は施錠状態における遊び角の作用を示す説明図、（ｄ）はストッパ体の動作との関係を示す説明図、（ｅ）は（ａ）に対応する（ｄ）の６Ｅ方向矢視図、（ｆ）は（ｃ）に対応する（ｄ）の６Ｅ方向矢視図、（ｇ）は（ｂ）に対応する（ｄ）の６Ｅ方向矢視図である。
【図７】錠装置の動作を示す図で、（ａ）は閉扉動作途中を示す図、（ｂ）はドライブカムによりロック体が作動し始めた状態を示す図、（ｃ）はさらに扉を閉じた状態を示す図である。
【図８】錠装置のロック動作完了からロック解除操作までの動作を示す図で、（ａ）はロック体がロック位置に保持された状態を示す図、（ｂ）はロック完了状態を示す図、（ｃ）は解錠操作によりロック体がロック解除位置に移動した状態を示す図である。
【図９】扉開放時における錠装置の動作を示す説明図で、（ａ）は扉開放開始時の状態を示す図、（ｂ）はさらに扉を開放させた状態を示す図である。
【符号の説明】
【００４０】
１        装置筐体
２        扉
３        錠本体
４        被連結体
５        被係止部
６        ロック体
７        扉検知体
８        ロック操作部
９        ストッパ体
１０      シリンダ錠
１１      嵌合凹部
１２      レバー
１３      ドライブカム
１４      押圧カバー部
【図１】
2007182693.tif 000003
【図２】
2007182693.tif 000004
【図３】
2007182693.tif 000005
【図４】
2007182693.tif 000006
【図５】
2007182693.tif 000007
【図６】
2007182693.tif 000008
【図７】
2007182693.tif 000009
【図８】
2007182693.tif 000010
【図９】
2007182693.tif 000011